(57)【要約】【課題】  表示手段が情報表示を出力する際の電力消費を低減しつつ、表示手段の画面焼き付きを抑制する。【解決手段】  表示手段と、表示手段に表示される第１の表示内容に基づいて、画面焼付抑制処理の内容を変更する制御手段と、を有することを特徴とする表示装置が開示される。好ましくは、第１の表示内容に関する情報を取得する取得手段を有し、制御手段は、取得手段により取得された情報に基づいて、画面焼付抑制処理の内容を変更する。好ましくは、取得手段は、第１の表示内容に関する情報として表示色又は表示パターンに関する情報を取得する。【選択図】  図５
2020056882.tif 000002
【特許請求の範囲】
【請求項１】
表示手段と、
前記表示手段に表示される第１の表示内容に基づいて、画面焼付抑制処理の内容を変更する制御手段と、
を有することを特徴とする表示装置。
【請求項２】
前記第１の表示内容に関する情報を取得する取得手段を更に有し、
前記制御手段は、前記取得手段により取得された情報に基づいて、前記画面焼付抑制処理の内容を変更する、請求項１に記載の表示装置。
【請求項３】
前記取得手段は、前記第１の表示内容に関する情報として表示色又は表示パターンに関する情報を取得する、請求項２に記載の表示装置。
【請求項４】
前記画面焼付抑制処理の内容を変更することは、前記表示手段の輝度を変更することを含む、請求項２又は３に記載の表示装置。
【請求項５】
前記画面焼付抑制処理の内容を変更することは、前記表示手段に表示される前記第１の表示内容に応じた第２の表示内容に基づいて複数の画素の画素値を変化させることを含む、請求項２から４のいずれか１項に記載の表示装置。
【請求項６】
前記第２の表示内容に基づいて複数の画素の画素値を変化させることは、前記第２の表示内容を表す画像を、前記表示手段の画面内で所定方向に動かすことを含む、請求項５に記載の表示装置。
【請求項７】
表示手段に表示される第１の表示内容に基づいて、画面焼付抑制処理の内容を変更することを含む、コンピュータにより実行される画面焼付抑制方法。
【請求項８】
表示手段に表示される第１の表示内容に基づいて、画面焼付抑制処理の内容を変更する処理をコンピュータに実行させる画面焼付抑制プログラム。
【発明の詳細な説明】
【技術分野】
【０００１】
本開示は、表示装置、画面焼付抑制方法及び画面焼付抑制プログラムに関する。
【背景技術】
【０００２】
多くの電子機器には、表示用に液晶ディスプレイや有機ＥＬディスプレイ等の表示手段が搭載されている。上記のような表示手段は、長時間同じ情報表示を出力した場合に、表示情報の更新を行っても、直前の表示情報が残像のように表示されてしまい、表示機能が損なわれる「焼き付き」という現象が発生することが知られている。
【０００３】
特許文献１には、電子機器が操作されずに所定時間が経過すると、一部の画像部分を画面内で動かす画面焼付抑制処理（スクリーンセーバー）が実行されることにより、画面の焼き付きを抑制するという技術が記載されている。
【先行技術文献】
【特許文献】
【０００４】
【特許文献１】特開平８−２８６６４７号公報
【発明の概要】
【発明が解決しようとする課題】
【０００５】
しかしながら、上記のような従来技術では、表示手段が情報表示を出力する際の画面焼き付きを抑制することはできるが、情報表示を行っている際の電子機器の電力消費を低減することが難しい場合もある。例えば、表示内容によっては、画面焼付抑制処理の必要性が低い場合がありうる。例えば、表示内容が黒色表示を多く含む場合や複雑な表示パターンを含む場合等は、そうでない場合に比べて、画面の焼き付きが生じにくい。このような画面焼付抑制処理の必要性が低い場合に、通常通りの画面焼付抑制処理を行うと、不必要な処理が行われてしまうことになり、消費電力の無駄が生じる。
【０００６】
そこで、本発明は、表示手段が情報表示を出力する際の電力消費を低減しつつ、表示手段の画面焼き付きを抑制することを目的とする。
【課題を解決するための手段】
【０００７】
上記目的を達成するために、本発明の１つの側面では、表示手段と、
前記表示手段に表示される第１の表示内容に基づいて、画面焼付抑制処理の内容を変更する制御手段と、を有することを特徴とする表示装置が提供される。
【発明の効果】
【０００８】
１つの側面では、本発明によれば、表示手段が情報表示を出力する際の電力消費を低減しつつ、表示手段の画面焼き付きを抑制することが可能となる。
【図面の簡単な説明】
【０００９】
【図１】本発明の一実施例である電子機器の概略図である。
【図２】電子機器のハードウェア構成を示すブロック図である。
【図３】電子機器の動作状態の遷移態様の一例を示す図である。
【図４Ａ】表示内容の一例としてアナログ時計地図表示の表示例を示す模式図である。
【図４Ｂ】アンビエント状態での第１表示部の表示内容の種類の特徴を示す表図である。
【図５】画面焼付抑制制御処理を実行するための機能的構成を示す機能ブロック図である。
【図６】画像シフト処理の説明図である。
【図７】画像シフトテーブルの一例を示す図である。
【図８】画面焼付抑制制御処理の流れを説明するフローチャートである。
【発明を実施するための形態】
【００１０】
以下、添付図面を参照しながら各実施例について詳細に説明する。
【００１１】
図１は、本発明の一実施例である電子機器１の概略図である。図１に示すように、本実施例の電子機器１は、腕時計型の装置（スマートウォッチ等）として構成されている。また、電子機器１は、第１表示部１８及び第２表示部２４（後述）を備えており、第１表示部１８の上に第２表示部２４が積層されている。さらに、第２表示部２４の上には、後述するタッチパネル１７が設けられている。このため、電子機器１においては、第１表示部１８の表示に第２表示部２４の表示を重ね合わせて表示することが可能であるとともに、表示内容にタッチ操作することが可能となっている。以下では、ユーザとは、電子機器１のユーザであるものとする。ユーザは、典型的には、電子機器１を腕に装着して使用する。
【００１２】
図２は、電子機器１のハードウェア構成を示すブロック図である。図２に示すように、電子機器１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、記憶部１４と、ＲＴＣ（Ｒｅａｌ  Ｔｉｍｅ  Ｃｌｏｃｋ）部１５と、ドライブ１６と、タッチパネル１７と、第１表示部１８（表示手段の一例）と、第１入力部１９と、ブルートゥース（登録商標）用アンテナ２０と、ブルートゥースモジュール２１と、無線ＬＡＮ（Ｌｏｃａｌ  Ａｒｅａ  Ｎｅｔｗｏｒｋ）アンテナ２２と、無線ＬＡＮモジュール２３と、第２表示部２４と、脈拍センサ２５と、地磁気センサ２６と、加速度センサ２７と、ジャイロセンサ２８と、照度センサ２９と、第２入力部３０と、ＧＰＳ（Ｇｌｏｂａｌ  Ｐｏｓｉｔｉｏｎｉｎｇ  Ｓｙｓｔｅｍ）アンテナ３１と、ＧＰＳモジュール３２と、を備えている。
【００１３】
ＣＰＵ１１は、第１ＣＰＵ１１Ａと、第２ＣＰＵ１１Ｂとによって構成される。第１ＣＰＵ１１Ａは、各種演算処理を行い、ＯＳ（Ｏｐｅｒａｔｉｎｇ  Ｓｙｓｔｅｍ）の処理を実行することにより、電子機器１におけるスマートフォンに類する機能を制御する。本実施例において、第１ＣＰＵ１１Ａは、ブルートゥースモジュール２１あるいは無線ＬＡＮモジュール２３を介して受信した電子メールの着信や気象情報に関するメッセージ等を第１表示部１８に表示させたり、タッチパネル１７を介して入力される操作を受け付けたりする。また、第１ＣＰＵ１１Ａは、第１入力部１９を介して入力される音声を認識したり、その他、スマートフォンに類する機能として実装された各種機能に係る処理を行ったりする。
【００１４】
また、本実施例において、第１ＣＰＵ１１Ａは、ＲＴＣ部１５から所定タイミングで時刻信号を取得する。
【００１５】
第２ＣＰＵ１１Ｂは、特定のプログラムの処理を実行することにより、第２表示部２４に対する表示の指示を行ったり、各種センサの検出結果を取得したり、その他、腕時計の機能として実装された各種機能に係る処理を行ったりする。本実施例において、第２ＣＰＵ１１Ｂは、第１ＣＰＵ１１Ａから入力された時刻信号を基準として、時刻を計算したり、時刻、曜日あるいは日付等を第２表示部２４に表示させたりする。第２ＣＰＵ１１Ｂが実行する特定のプログラムの処理（時刻の計算等）は、第１ＣＰＵ１１Ａが実行するＯＳの処理に比べて単純な動作であることから処理負荷が小さく、低消費電力で実行可能である。また、そのため、第２ＣＰＵ１１Ｂに要求されるハードウェアのスペックは、第１ＣＰＵ１１Ａに比べて低いもので足りる。
【００１６】
ＲＯＭ１２は、第１ＣＰＵ１１Ａ及び第２ＣＰＵ１１Ｂそれぞれからデータの読み出しが可能であり、第１ＣＰＵ１１Ａ及び第２ＣＰＵ１１Ｂが実行する種々のプログラムや初期設定データを格納する。例えば、ＲＯＭ１２は、第１ＣＰＵ１１Ａが実行するＯＳのプログラムやＯＳの管理下で実行される各種プログラム、あるいは、第２ＣＰＵ１１Ｂが実行する特定のプログラム（ここでは、腕時計の機能を実現する組み込み用プログラム）のプログラムを格納する。
【００１７】
ＲＡＭ１３は、第１ＣＰＵ１１Ａ及び第２ＣＰＵ１１Ｂそれぞれからデータの読み出し及び書き込みが可能であり、第１ＣＰＵ１１Ａ及び第２ＣＰＵ１１Ｂに作業用のメモリ空間を提供し、作業用の一時データを記憶する。例えば、ＲＡＭ１３は、第１ＣＰＵ１１ＡがＯＳを実行する際のシステム領域やワークエリアを提供したり、第２ＣＰＵ１１Ｂが特定のプログラムを実行する際の記憶領域を提供したりする。
【００１８】
記憶部１４は、第１ＣＰＵ１１Ａ及び第２ＣＰＵ１１Ｂそれぞれからデータの読み出し及び書き込みが可能な不揮発性のメモリであり、例えば、フラッシュメモリやＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）である。記憶部１４には、スマートフォンに類する各種機能や腕時計の機能等において生成された各種データ（各種設定内容のデータ等）が記憶される。
【００１９】
ＲＴＣ部１５は、時刻信号を生成する。
【００２０】
ドライブ１６には、磁気ディスク、光ディスク、光磁気ディスク、あるいは半導体メモリ等よりなる、リムーバブルメディア４１が適宜装着される。リムーバブルメディア４１は、各種センサによって検出されたデータ等の各種データを記憶することができる。
【００２１】
タッチパネル１７は、第２表示部２４の表示画面上に設けられた静電容量方式または抵抗膜式等のタッチパネルである。タッチパネル１７は、操作面に対するユーザのタッチ操作位置と操作内容とを検出して当該操作に応じた信号を発生させて、入力信号として第１ＣＰＵ１１Ａに出力する。
【００２２】
第１表示部１８は、有機ＥＬディスプレイ（ＯＬＥＤ）によって構成され、第１ＣＰＵ１１Ａの制御に従って、各種情報を表示画面に表示する。
【００２３】
第１入力部１９は、音声を電気信号に変換するマイクを備え、入力された音声（操作のための音声コマンド等）を示す信号を第１ＣＰＵ１１Ａに出力する。
【００２４】
ブルートゥース用アンテナ２０は、ブルートゥースの規格に基づく電磁波を送受信するアンテナであり、例えばモノポールアンテナ等によって構成される。ブルートゥース用アンテナ２０は、ブルートゥースモジュール２１から入力された無線通信の電気信号を電磁波として送信したり、受信した電磁波を電気信号に変換してブルートゥースモジュール２１に出力したりする。
【００２５】
ブルートゥースモジュール２１は、第１ＣＰＵ１１Ａの指示に従って、ブルートゥース用アンテナ２０を介して他の装置に信号を送信する。また、ブルートゥースモジュール２１は、他の装置から送信された信号を受信し、受信した信号が示す情報を第１ＣＰＵ１１Ａに出力する。無線ＬＡＮアンテナ２２は、無線ＬＡＮモジュール２３によって利用される無線通信に対応した周波数の電波を受信可能なアンテナであり、例えばループアンテナやロッドアンテナによって構成される。無線ＬＡＮアンテナ２２は、無線ＬＡＮモジュール２３から入力された無線通信の電気信号を電磁波として送信したり、受信した電磁波を電気信号に変換して無線ＬＡＮモジュール２３に出力したりする。
【００２６】
無線ＬＡＮモジュール２３は、第１ＣＰＵ１１Ａの指示に従って、無線ＬＡＮアンテナ２２を介して他の装置に信号を送信する。また、無線ＬＡＮモジュール２３は、他の装置から送信された信号を受信し、受信した信号が示す情報を第１ＣＰＵ１１Ａに出力する。
【００２７】
第２表示部２４は、部分的にまたは全体的に光を透過可能なＰＮ（Ｐｏｌｙｍｅｒ  Ｎｅｔｗｏｒｋ）液晶ディスプレイから構成され、第２ＣＰＵ１１Ｂの制御に従って、各種情報を表示画面に表示（ここではセグメント表示）する。
【００２８】
本実施例において、第２表示部２４であるＰＮ液晶ディスプレイは、例えば、上述した第１表示部１８である有機ＥＬディスプレイの表示画面上に積層されている。このＰＮ液晶ディスプレイは、電位が掛けられていない部位では液晶分子が不規則に並び、光を反射するようになっている。つまり、この電位が掛けられていない部位において、ＰＮ液晶ディスプレイによる表示がなされることとなる。一方、電位が掛けられた部位では、液晶分子が表示画面に対して垂直に整列するので、光を透過可能となっている。つまり、この電位が掛けられた部位では、上述の有機ＥＬディスプレイからの光を透過可能となるので、当該ＰＮ液晶ディスプレイを介して当該有機ＥＬディスプレイによる表示を視認することができる。すなわち、電子機器１の表示領域では、第１表示部１８による表示に第２表示部２４による表示を重ね合わせた状態で表示することができるようになっている。
【００２９】
脈拍センサ２５は、電子機器１の裏面側（ユーザの腕に面する側）に設置され、電子機器１が装着されたユーザの脈拍を検出する。脈拍センサ２５は、検出した脈拍を第２ＣＰＵ１１Ｂに出力する。
【００３０】
地磁気センサ２６は、地磁気の方向を検出し、検出した地磁気の方向を示す情報を第２ＣＰＵ１１Ｂに出力する。
【００３１】
加速度センサ２７は、電子機器１における３軸方向の加速度を検出し、検出した加速度を示す情報を第２ＣＰＵ１１Ｂに出力する。
【００３２】
ジャイロセンサ２８は、電子機器１における３軸方向の角速度を検出し、検出した角速度を示す情報を第２ＣＰＵ１１Ｂに出力する。
【００３３】
照度センサ２９は、第１表示部１８の裏面側の所定箇所に設置され、電子機器１の表示領域における明るさ（照度）を検出し、検出した明るさを示す情報を第２ＣＰＵ１１Ｂに出力する。
【００３４】
第２入力部３０は、各種ボタンで構成され、ユーザの指示操作に応じて各種情報を入力する。
【００３５】
ＧＰＳアンテナ３１は、ＧＰＳにおける衛星から発信される電波を受信して電気信号に変換し、変換した電気信号（以下、「ＧＰＳ信号」と称する）をＧＰＳモジュール３２に出力する。
【００３６】
ＧＰＳモジュール３２は、ＧＰＳアンテナ３１から入力されたＧＰＳ信号に基づいて、電子機器１の位置（緯度、経度、高度）及びＧＰＳによって示される現在時刻を検出する。また、ＧＰＳモジュール３２は、検出した位置及び現在時刻を示す情報を第２ＣＰＵ１１Ｂに出力する。
【００３７】
図３は、電子機器１の動作状態の遷移態様の一例を示す図である。
【００３８】
電子機器１は、動作状態が、アクティブ状態と、アンビエント状態（待機状態）とを含む。
【００３９】
アクティブ状態では、第１表示部１８の表示画面の輝度が比較的高い通常値であり、各種の機能が実行可能な状態である。なお、通常値は、ユーザにより調整可能とされてもよい。アクティブ状態からアンビエント状態へは、アクティブ状態において所定時間以上、無操作及び無入力状態が継続した場合等に、遷移してよい。
【００４０】
アンビエント状態では、入力等の待機中の状態であり、省電力化を図るために、第１表示部１８の表示画面の輝度が通常値よりも低くされる。なお、アンビエント状態では、第１ＣＰＵ１１Ａの処理負荷が比較的低くなる状態であり、各種の機能の一部又は全部が実行不能であってよい。アンビエント状態からアクティブ状態へは、例えばタッチパネル１７や第１入力部１９を介した入力があった場合や、ブルートゥースモジュール２１あるいは無線ＬＡＮモジュール２３を介して電子メール等を受信した場合等に、遷移してよい。
【００４１】
アンビエント状態での第１表示部１８の表示内容（第２の表示内容の一例）は、直前のアクティブ状態での第１表示部１８の表示内容（第１の表示内容の一例）に応じたものであり、全く同一であってもよいし、一部が省略されたものであってもよい。例えば、アクティブ状態での第１表示部１８の表示内容が時刻の秒針表示（図４Ａの秒針表示ＳＨ参照）を含む場合、アンビエント状態での第１表示部１８の表示内容は、当該秒針表示を含まなくてもよい。
【００４２】
なお、変形例では、アクティブ状態とアンビエント状態の他に、他の状態が存在してもよいし、遷移条件が上述とは異なる条件であってもよい。
【００４３】
図４Ａは、表示内容の一例としてアナログ時計地図表示の表示例を示す模式図である。図４Ａに示す例では、現在地を示すマークＭ１が表示され、表示領域の中心（現在位置と、針画像の回転中心）を通過するように直交してガイド線ＧＬ１，ＧＬ２が表示される。ガイド線ＧＬ１，ＧＬ２の近傍には、地図においてガイド線ＧＬ１，ＧＬ２がどの位置であるかを示す緯度経度の数値が表示される。これにより、ガイド線ＧＬ１，ＧＬ２の交点の位置にある現在位置の緯度経度をユーザは簡単に把握することができる。
【００４４】
図４Ｂは、アンビエント状態での第１表示部１８の表示内容の種類の特徴を示す表図である。
【００４５】
アクティブ状態での第１表示部１８の表示内容は、複数のタイプがあり、本実施例では、一例として、３種類（タイプＡ〜タイプＣ）ある。なお、表示内容の種類は、アクティブ状態においてユーザにより選択可能である。
【００４６】
アクティブ状態での第１表示部１８の表示内容の種類に対応して、アンビエント状態での第１表示部１８の表示内容の種類も、３種類（タイプＡ〜タイプＣ）ある。以下では、第１表示部１８の表示内容の種類とは、特に言及しない限り、アンビエント状態での種類であるとする。
【００４７】
第１表示部１８の表示内容の種類間の相違は、表示色と表示パターンとに関する。
【００４８】
表示色に関しては、種類の相違は、背景等の表示色に関する黒の多さに関する。ここでは、黒の多さを表す指標として、全体の画素に占める黒の画素の割合（比率）を用いる。例えば、全体の画素数をＰｘとし、黒の画素数をＰｂとすると、黒の多さを表す指標は、Ｐｂ／Ｐｘで表されてよい。本実施例では、一例として、タイプＡは、全体の画素に占める黒の画素の割合が比較的小さく、タイプＣは、全体の画素に占める黒の画素の割合が比較的大きく、タイプＢは、全体の画素に占める黒の画素の割合が、タイプＡとタイプＢの中間である。
【００４９】
なお、変形例では、黒の多さは、上述のような算出により数値化されるのではなく、人の官能評価に基づくものであってもよい。例えば背景が白色であれば、黒が少ない種類とされ、背景が黒であれば、黒が多い種類とされ、背景がグレーであれば、黒が多くも少なくもない種類とされてもよい。
【００５０】
表示パターンに関しては、種類の相違は、パターンの複雑さ度合いに関する。ここでは、パターンの複雑さ度合いを表す指標として、特定の一の画素と、該一の画素に対して所定画素数だけ上下（垂直方向）又は左右（水平方向）に位置する画素との間での、画素値が一致する確率を用いる。パターンが単純であればあるほど、当該確率は高くなる。所定画素数は、任意であるが、例えば１画素であってよい。なお、パターンの複雑さ度合いを表す指標としては、特定の一の画素を変化させながら、当該確率を算出し、最終的に当該確率の平均値が利用されてよい。また、上下（垂直方向）又は左右（水平方向）の４方向のそれぞれで比較する場合も平均が取られてよく、更に斜め方向が考慮されてもよい。また、簡易的に、上下（垂直方向）又は左右（水平方向）の４方向のうちの一の方向だけが考慮されてもよい。本実施例では、一例として、タイプＡは、パターンの複雑さ度合いが比較的低く（比較的単純であり）、タイプＣは、パターンの複雑さ度合いが比較的高く（比較的複雑であり）、タイプＢは、パターンの複雑さ度合いが、タイプＡとタイプＢの中間（普通）である。
【００５１】
なお、変形例では、パターンの複雑さ度合いは、上述のような算出により数値化されるのではなく、人の官能評価に基づくものであってもよい。例えば図柄が単調であれば、複雑さ度合いが比較的低い種類とされ、図柄が複雑であれば、複雑さ度合いが比較的高い種類とされ、図柄が単調でもなく複雑でもなければ、複雑さ度合いが中ぐらいの種類とされてもよい。また、より簡易的に、時計の針（図４Ａの、時間を指す針表示ＨＨや、分を指す針表示ＭＨ参照）の太さが比較的太ければ、複雑さ度合いが比較的低い種類とされ、時計の針が比較的細ければ、複雑さ度合いが比較的高い種類とされ、時計の針が中ぐらいであれば、複雑さ度合いが中ぐらいの種類とされてもよい。
【００５２】
次に、電子機器１の機能的構成について説明する。図５は、画面焼付抑制制御処理を実行するための機能的構成を示す機能ブロック図である。
【００５３】
画面焼付抑制制御処理は、第１表示部１８の表示内容に応じて、アンビエント状態での第１表示部１８の表示画面の焼き付きを抑制しつつ、省電力化を図るための処理である。
【００５４】
画面焼付抑制制御処理が実行される場合、図５に示すように、第１ＣＰＵ１１Ａにおいて、表示内容取得部５２（取得手段の一例）と、画面状態制御部５４（制御手段の一例）とが機能し、ＲＡＭ１３において、タイプ情報記憶部５６が実現され、記憶部１４において、テーブル記憶部５８が実現される。なお、テーブル記憶部５８は、ＲＯＭ１２において実現されてもよい。
【００５５】
表示内容取得部５２は、タイプ情報記憶部５６からタイプ情報を取得する。タイプ情報は、現在の、第１表示部１８の表示内容の種類を表す情報である。具体的には、現在の第１表示部１８の表示内容がタイプＡであれば、タイプ情報は、タイプＡを表し、現在の第１表示部１８の表示内容がタイプＢであれば、タイプ情報は、タイプＢを表し、現在の第１表示部１８の表示内容がタイプＣであれば、タイプ情報は、タイプＣを表す。タイプ情報記憶部５６には、常に最新のタイプ情報が記憶される。すなわち、第１表示部１８の表示内容の種類が変化すると、それに応じてタイプ情報記憶部５６のタイプ情報が更新される。
【００５６】
画面状態制御部５４は、第１表示部１８の表示内容に基づいて、画面焼付抑制処理の内容を制御する。画面状態制御部５４は、アクティブ状態からアンビエント状態に遷移する際に、画面焼付抑制処理の内容を制御する。
【００５７】
画面焼付抑制処理とは、画面焼付抑制制御処理のうちの主要部であり、第１表示部１８の画面の焼き付きを抑制する処理である。本実施例では、一例として、画面焼付抑制処理は、第１表示部１８の表示画面の輝度を低減する処理（以下、「輝度低減処理」とも称する）と、第２の表示内容に基づいて複数の画素の画素値を変化させる処理（以下、「画像シフト処理」とも称する）とを含む。これは、画素の輝度が低いほど焼き付きが生じにくくなり、かつ、画素の画素値が高頻度で変化するほど焼き付きが生じにくくなるためである。
【００５８】
本実施例では、一例として、画像シフト処理は、第２の表示内容を表す画像を、画面内で所定方向に移動させる処理である。所定方向は、上下、左右、斜めの任意であり、これらの組み合わせであってもよいし、移動ごとに変化してもよい。なお、第２の表示内容を表す画像を、初期の位置から、画面内で所定方向に移動させると、画像は、所定方向側で画面からはみ出すことになる（従って、非表示となる）。また、所定方向とは反対側では、画像の端部が画面の内側にまで来てしまう。具体的には、図６に模式的に示すように、画像Ｇ１を、初期の画像（画面にちょうど収まる画像）であるとし、画像Ｇ２は、画像Ｇ１から右方向に距離Ｌ（所定画素数分の距離）だけずれたものであるとすると、ずれた後の画像Ｇ２の画像部分Ｇ２１は、画面からはみ出し、画面における画像Ｇ１の画像部分Ｇ１１が存在した領域は、画像が存在しない領域となる。この場合、画面における画像Ｇ１の画像部分Ｇ１１が存在した領域は、他の新たな画像で埋められてもよい。
【００５９】
ここで、画面の焼き付きは、黒の画素では生じず、従って黒の画素が多いほど生じにくい。また、画面の焼き付きは、画素が黒以外の画素値（特に白に近い画素値）を有する状態が比較的長い時間継続すると生じる。従って、表示パターンが単純であると、画像シフト処理で画像を移動させたとしても、画素値が変化しない画素が比較的多く発生しやすく、画面の焼き付きが生じやすい。すなわち、画面の焼き付きは、画像の移動量が同じであれば、パターンが単純であればあるほど生じやすい。
【００６０】
このため、本実施例では、画面状態制御部５４は、第１表示部１８の表示内容の表示色とパターンの複雑さ度合いに基づいて、画面焼付抑制処理の内容を制御する。具体的には、画面状態制御部５４は、テーブル記憶部５８内の画像シフトテーブルを参照して、第１表示部１８の表示内容のタイプに応じた処理内容で、画面焼付抑制処理を実行する。画像シフトテーブルは、第１表示部１８の表示内容のタイプに応じた処理内容を定義したテーブルであり、例えば図７に示すようなテーブルである。図７に示す例では、第１表示部１８の表示内容のタイプごとに、ピクセルシフト量と、シフト周期と、輝度低減率とが定義されている。具体的には、タイプＡに対しては、ピクセルシフト量が４ピクセルであり、シフト周期が１分であり、輝度低減率が５０％であり、タイプＢに対しては、ピクセルシフト量が２ピクセルであり、シフト周期が２分であり、輝度低減率が３０％であり、タイプＣに対しては、ピクセルシフト量が１ピクセルであり、シフト周期が４分であり、輝度低減率が１０％である。
【００６１】
ピクセルシフト量は、画像シフト処理で１回の移動によって生じる画素のシフト量である。例えば、ピクセルシフト量が４ピクセルであれば、画像シフト処理で１回の移動によって４ピクセル分（図６の距離Ｌが４ピクセル分の距離）だけ画像が移動される。一般的に、ピクセルシフト量が大きくなるほど、焼き付きが生じ難くなる。ピクセルシフト量が大きくなるほど、移動前と移動後とで画素値が同じである画素が少なくなる可能性が増えるためである。かかる点を考慮し、図７に示す例では、黒の画素が比較的少ないがゆえに焼き付きが生じやすいタイプＡに対しては、比較的大きいピクセルシフト量が対応付けられ、黒の画素が比較的多いがゆえに焼き付きが生じにくいタイプＣに対しては、比較的小さいピクセルシフト量が対応付けられ、中間のタイプＢに対しては、中間のピクセルシフト量が対応付けられている。このようにして、図７に示す例では、黒の画素の多さに応じて適切なピクセルシフト量が対応付けられている。
【００６２】
シフト周期は、画像シフト処理が実行される周期である。例えば、シフト周期が１分であれば、画像シフト処理は１分ごとに実行される。上述のように、画面の焼き付きは、画素が黒以外の画素値（特に白に近い画素値）を有する状態が比較的長い時間継続すると生じる。従って、表示色と表示パターンが同じであれば、シフト周期が短くなるほど、焼き付きが生じ難くなる。また、上述のように、表示パターンが単純であると、画像シフト処理で画像を移動させたとしても、画素値が変化しない画素が比較的多く発生しやすく、画面の焼き付きが生じやすい。かかる点を考慮し、図７に示す例では、黒の画素が比較的少なくかつ表示パターンが比較的単純であるがゆえに画像シフト処理を行ってもその周期が長ければ焼き付きが生じやすいタイプＡに対しては、比較的短いシフト周期が対応付けられ、黒の画素が比較的多くかつ表示パターンが比較的複雑であるがゆえに焼き付きが生じにくいタイプＣに対しては、比較的長いシフト周期が対応付けられ、中間のタイプＢに対しては、中間のシフト周期が対応付けられている。このようにして、図７に示す例では、黒の画素の多さと表示パターンの複雑さ度合いに応じて適切なシフト周期が対応付けられている。
【００６３】
他方、シフト周期が短くなるほど消費電力が大きくなる。すなわち、１回の画像シフト処理当たりの消費電力が一定であるとすると、シフト周期が短くなるほど単位時間あたりの画像シフト処理の回数が増加し、消費電力が大きくなる。図７に示す例では、上述のように、黒の画素の多さと表示パターンの複雑さ度合いに応じて適切なシフト周期が対応付けられるので、第１表示部１８の表示画面の焼き付きを抑制しつつ、省電力化を図ることができる。
【００６４】
輝度低減率は、輝度低減処理で低減される輝度低減率であり、通常値（アクティブ状態での輝度値）に対する低減率である。例えば、輝度低減率が３０％であれば、輝度が通常値に対して７０％とされる。上述のように、画素の輝度が高いほど、画面の焼き付きが生じやすい。かかる点を考慮し、図７に示す例では、黒の画素が比較的少なくかつ表示パターンが比較的単純であるがゆえに焼き付きが生じやすいタイプＡに対しては、比較的大きい輝度低減率が対応付けられ、黒の画素が比較的多くかつ表示パターンが比較的複雑であるがゆえに焼き付きが生じにくいタイプＣに対しては、比較的小さい輝度低減率が対応付けられ、中間のタイプＢに対しては、中間の輝度低減率が対応付けられている。このようにして、図７に示す例では、黒の画素の多さと表示パターンの複雑さ度合いに応じて適切な輝度低減率が対応付けられている。
【００６５】
また、輝度低減率が大きくなるほど消費電力の低減量が大きくなる。この点、図７に示す例では、上述のように、黒の画素の多さと表示パターンの複雑さ度合いに応じて適切な輝度低減率が対応付けられるので、第１表示部１８の表示画面の焼き付きを抑制しつつ、省電力化を図ることができる。
【００６６】
他方、輝度低減率が小さくなるほどアクティブ状態に近くなり第１表示部１８の表示内容の視認性が高くなる。この点、図７に示す例では、上述のように、黒の画素の多さと表示パターンの複雑さ度合いに応じて適切な輝度低減率が対応付けられるので、第１表示部１８の表示画面の焼き付きを抑制しつつ、焼き付きが生じにくいタイプＣに対しては比較的高い視認性を確保できる。
【００６７】
このようにして、本実施例によれば、第１表示部１８の表示内容の特徴（属性）に応じて、画面焼付抑制処理の内容を制御するので、アンビエント状態での電子機器１の電力消費（第１表示部１８の表示に関連した電力消費）を低減しつつ、アンビエント状態での第１表示部１８の画面焼き付きを抑制できる。
【００６８】
図８は、図５の機能的構成を有する図１の電子機器１が実行する画面焼付抑制制御処理の流れを説明するフローチャートである。
【００６９】
画面焼付抑制制御処理は、電子機器１の電源投入とともに開始され、電子機器１の電源をオフする操作が行われた場合に終了する。
【００７０】
ステップＳ８００では、第１ＣＰＵ１１Ａは、アクティブ状態からアンビエント状態への遷移イベントが発生したか否かを判定する。判定結果が“ＹＥＳ”の場合は、ステップＳ８０２に進み、それ以外の場合は、ステップＳ８１２に進む。
【００７１】
ステップＳ８０２では、第１ＣＰＵ１１Ａは、タイプ情報記憶部５６内のタイプ情報を取得する。
【００７２】
ステップＳ８０４では、第１ＣＰＵ１１Ａは、テーブル記憶部５８内の画像シフトテーブルを参照して、ステップＳ８０２で取得したタイプ情報（タイプＡからタイプＣのいずれか）に応じた輝度低減率を決定する。
【００７３】
ステップＳ８０６では、第１ＣＰＵ１１Ａは、ステップＳ８０２で取得したタイプ情報に応じた第１表示部１８の表示内容を決定する。
【００７４】
ステップＳ８０８では、第１ＣＰＵ１１Ａは、ステップＳ８０４で決定した輝度低減率に基づく輝度で、ステップＳ８０６で決定した表示内容の画像を出力する。
【００７５】
ステップＳ８１０では、第１ＣＰＵ１１Ａは、テーブル記憶部５８内の画像シフトテーブルを参照して、ステップＳ８０２で取得したタイプ情報（タイプＡからタイプＣのいずれか）に応じたシフト周期（図７参照）に対応したタイマＴを起動するとともに、ステップＳ８０２で取得したタイプ情報に応じたピクセルシフト量（図７参照）を設定する。
【００７６】
ステップＳ８１２では、第１ＣＰＵ１１Ａは、現在の状態がアンビエント状態であるか否かを判定する。判定結果が“ＹＥＳ”の場合は、ステップＳ８１４に進み、それ以外の場合は、そのまま終了する。
【００７７】
ステップＳ８１４では、第１ＣＰＵ１１Ａは、タイマＴがタイムアウトしたか否かを判定する。なお、タイマＴは、起動後、ステップＳ８０２で取得したタイプ情報に応じたシフト周期（図７参照）が経過すると、タイムアウトする。判定結果が“ＹＥＳ”の場合は、ステップＳ８１６に進み、それ以外の場合は、そのまま終了する。
【００７８】
ステップＳ８１６では、第１ＣＰＵ１１Ａは、ステップＳ８１０で設定したピクセルシフト量で所定方向に出力中の画像をシフトする。なお、所定方向は、ランダムに決定されてもよいし、上下、左右等のうちから順に選択されてもよい。この場合、所定方向は、一連の画像シフト処理によって画像が円形を描くように決定されてもよい。
【００７９】
ステップＳ８１８では、第１ＣＰＵ１１Ａは、タイマＴを再度起動する。
【００８０】
図８に示す処理によれば、アクティブ状態からアンビエント状態へ遷移すると、その際の第１表示部１８の表示内容に基づいて、画面焼付抑制処理の内容が制御される。すなわち、タイプ情報に応じた輝度低減率、ピクセルシフト量、及びシフト周期で輝度低減処理及び画像シフト処理が実行される。これにより、アンビエント状態での電子機器１の電力消費（第１表示部１８の表示に関連した電力消費）を低減しつつ、アンビエント状態での第１表示部１８の画面焼き付きを抑制できる。
【００８１】
なお、上述した一連の処理は、ハードウェアにより実行させることもできるし、ソフトウェアにより実行させることもできる。
【００８２】
換言すると、上記のような機能的構成は例示に過ぎず、特に限定されない。すなわち、上述した一連の処理を全体として実行できる機能が電子機器１に備えられていれば足り、この機能を実現するためにどのような機能ブロックを用いるのかは、特に上記のような機能的構成に限定されない。また、１つの機能ブロックは、ハードウェア単体で構成してもよいし、ソフトウェア単体で構成してもよいし、それらの組み合わせで構成してもよい。
【００８３】
本実施例における機能的構成は、演算処理を実行するプロセッサによって実現され、本実施例に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００８４】
一連の処理をソフトウェアにより実行させる場合には、そのソフトウェアを構成するプログラムが、コンピュータ等にネットワークや記録媒体からインストールされる。コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８５】
このようなプログラムを含む記録媒体は、ユーザにプログラムを提供するために装置本体とは別に配布される図２のリムーバブルメディア４１により構成されるだけでなく、装置本体に予め組み込まれた状態でユーザに提供される記録媒体等で構成される。リムーバブルメディア４１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２や、図２の記憶部１４に含まれる半導体メモリ等で構成される。
【００８６】
なお、本明細書において、記録媒体に記録されるプログラムを記述するステップは、その順序に沿って時系列的に行われる処理はもちろん、必ずしも時系列的に処理されなくても、並列的あるいは個別に実行される処理をも含むものである。
【００８７】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００８８】
例えば、上述の実施例では、電子機器１は第１表示部１８と第２表示部２４とを備えるものとしたが、それに限らず、電子機器１は第１表示部１８のみを備えるものであってもよい。
【００８９】
また、上述の実施例では、第１表示部１８に対して画面焼付抑制制御処理が適用されているが、これに代えて又は加えて、第２表示部２４に対して画面焼付抑制制御処理が適用されてもよい。
【００９０】
また、上述の実施例では、表示内容が表示される第１表示部１８がＯＬＥＤで構成されるが、液晶ディスプレイ等の他の表示手段で構成されてもよい。
【００９１】
また、上述の実施例では、電子機器１のＣＰＵ１１は第１ＣＰＵ１１Ａと第２ＣＰＵ１１Ｂとからなるものとしたが、それに限らず、ＣＰＵ１１は第１ＣＰＵ１１Ａの機能と第２ＣＰＵ１１Ｂの機能の両方を備える１つのＣＰＵであってもよい。
【００９２】
また、上述の実施例では、本発明が適用される電子機器１は、腕時計型の装置（スマートウォッチ等）を例として説明したが、特にこれに限定されない。例えば、本発明は、輝度調整機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００９３】
また、上述の実施例では、第１表示部１８の表示内容の種類ごとに、ピクセルシフト量及びシフト周期が対応付けられているが、ピクセルシフト量及びシフト周期のうちの一方だけが対応付けられてもよい。この場合も、焼き付きが生じやすい種類であるほど、ピクセルシフト量が大きくなり、シフト周期が短くなる態様であればよい。
【００９４】
また、上述の実施例では、焼き付きの生じやすさは、２つの指標（すなわち表示色と表示パターンに関する指標）に基づいて考慮されているが、一方のみに基づいて考慮されてもよい。あるいは、第１表示部１８の表示内容の種類ごとに、２つの指標を組み合わせた１つの指標値が考慮されてもよい。
【００９５】
また、上述の実施例では、画像シフト処理では、画像は直線状にシフト（移動）されるが、これに限らない。例えば、画像が画面の中心を回転中心として回転する態様でシフト（移動）されてもよい。この場合、図６を参照して上述したはみ出し領域を最小化して、画像シフト処理に起因した画面の視認性の低下を抑制できる。
【００９６】
以下に、この出願の願書に最初に添付した特許請求の範囲に記載した発明を付記する。付記に記載した請求項の項番は、この出願の願書に最初に添付した特許請求の範囲の通りである。
＜請求項１＞
表示手段と、
前記表示手段に表示される第１の表示内容に基づいて、画面焼付抑制処理の内容を変更する制御手段と、
を有することを特徴とする表示装置。
＜請求項２＞
前記第１の表示内容に関する情報を取得する取得手段を更に有し、
前記制御手段は、前記取得手段により取得された情報に基づいて、前記画面焼付抑制処理の内容を変更する、請求項１に記載の表示装置。
＜請求項３＞
前記取得手段は、前記第１の表示内容に関する情報として表示色又は表示パターンに関する情報を取得する、請求項２に記載の表示装置。
＜請求項４＞
前記画面焼付抑制処理の内容を変更することは、前記表示手段の輝度を変更することを含む、請求項２又は３に記載の表示装置。
＜請求項５＞
前記画面焼付抑制処理の内容を変更することは、前記表示手段に表示される前記第１の表示内容に応じた第２の表示内容に基づいて複数の画素の画素値を変化させることを含む、請求項２から４のいずれか１項に記載の表示装置。
＜請求項６＞
前記第２の表示内容に基づいて複数の画素の画素値を変化させることは、前記第２の表示内容を表す画像を、前記表示手段の画面内で所定方向に動かすことを含む、請求項５に記載の表示装置。
＜請求項７＞
表示手段に表示される第１の表示内容に基づいて、画面焼付抑制処理の内容を変更することを含む、コンピュータにより実行される画面焼付抑制方法。
＜請求項８＞
表示手段に表示される第１の表示内容に基づいて、画面焼付抑制処理の内容を変更する処理をコンピュータに実行させる画面焼付抑制プログラム。
【符号の説明】
【００９７】
１  電子機器
１１Ａ  第１ＣＰＵ
１１Ｂ  第２ＣＰＵ
１４  記憶部
１５  ＲＴＣ部
１６  ドライブ
１７  タッチパネル
１８  第１表示部
１９  第１入力部
２０  ブルートゥース用アンテナ
２１  ブルートゥースモジュール
２２  無線ＬＡＮアンテナ
２３  無線ＬＡＮモジュール
２４  第２表示部
２５  脈拍センサ
２６  地磁気センサ
２７  加速度センサ
２８  ジャイロセンサ
２９  照度センサ
３０  第２入力部
３１  ＧＰＳアンテナ
３２  ＧＰＳモジュール
４１  リムーバブルメディア
５２  表示内容取得部
５４  画面状態制御部
５６  タイプ情報記憶部
５８  テーブル記憶部
【図１】
2020056882.tif 000003
【図２】
2020056882.tif 000004
【図３】
2020056882.tif 000005
【図４Ａ】
2020056882.tif 000006
【図４Ｂ】
2020056882.tif 000007
【図５】
2020056882.tif 000008
【図６】
2020056882.tif 000009
【図７】
2020056882.tif 000010
【図８】
2020056882.tif 000011